(57)【要約】【課題】  選択可能な複数の同期網のうちの１つから基準クロックを適切に取得できなくなっても、これまで通りのクロック同期を維持する。【解決手段】  本発明の同期維持装置（クロックボード１１Ａ）は、参照クロックの選択肢として複数の同期網からそれぞれ取得した基準クロックを含み、選択後の参照クロックから同期クロックを生成するクロック生成部３３と、クロック生成部３３に参照させる基準クロックを選択可能であり、選択した方の基準クロックが所定の切替条件を満たすか否かを判定可能な制御部３２とを備える。制御部３２は、切替条件を満たした場合に、参照クロックを他の基準クロックに切り替える指示をクロック生成部３３に通知する。クロック生成部３３は、その指示があった場合に、指示前の基準クロックから生成していた同期クロックＣＬａと同じ周波数及び位相の同期クロックを、指示後の基準クロックから生成する。【選択図】      図４
2014110485.tif 000002
【特許請求の範囲】
【請求項１】
参照クロックの選択肢として複数の同期網からそれぞれ取得した基準クロックを含み、選択後の参照クロックから同期クロックを生成するクロック生成部と、
前記クロック生成部に参照させる基準クロックを選択可能であり、選択した方の基準クロックが所定の切替条件を満たすか否かを判定可能な制御部と、を備えており、
前記制御部は、前記切替条件を満たした場合に、参照クロックを他の基準クロックに切り替える指示を前記クロック生成部に通知し、
前記クロック生成部は、前記指示があった場合に、前記指示前の基準クロックから生成していた前記同期クロックと同じ周波数及び位相の同期クロックを、前記指示後の基準クロックから生成することを特徴する同期維持装置。
【請求項２】
複数の同期網のうちの時刻同期網から基準時刻を所定時間ごとに取得し、その所定時間と同期する時間間隔の同期時刻を生成する時刻生成部を、更に備えており、
前記時刻生成部は、前記基準時刻に欠落があった場合又は前記指示があった場合に、前記時刻同期網以外の他の同期網から取得した基準クロックに基づく前記時間間隔にて前記同期時刻を生成する請求項１に記載の同期維持装置。
【請求項３】
請求項１又は２に記載の同期維持装置と、
前記同期維持装置が生成する前記同期クロックが入力される送受信ユニットと、を備えた局側装置であって、
前記送受信ユニットは、入力された前記同期クロックに基づく所定の伝送クロックにて配下の宅側装置に下りフレームを送信する通信インタフェースを有することを特徴とする局側装置。
【請求項４】
複数の同期網からそれぞれ取得した基準クロックを用いて行う、同期クロックの維持方法であって、
複数の基準クロックの中から選択した１つの基準クロックから同期クロックを生成するステップと、
選択中の基準クロックが所定の切替条件を満たした場合に、参照クロックを他の基準クロックに切り替えるステップと、
切り替え前の基準クロックから生成していた前記同期クロックと同じ周波数及び位相の同期クロックを、切り替え後の基準クロックから生成するステップと、
を含むことを特徴する同期クロックの維持方法。
【請求項５】
コアネットワークに繋がる複数のキャリア網を備えた通信システムであって、
前記キャリア網は、同期クロックの生成に用いる基準クロックを複数の同期網から取得可能な局側装置と、前記局側装置が送信する下りフレームから前記同期クロックを再生する宅側装置とを含み、
前記局側装置は、複数の同期網の１つから取得した基準クロックが所定の切替条件を満たした場合に、その基準クロックから生成していた前記同期クロックと同じ周波数と位相の同期クロックの生成を、他の同期網から取得した基準クロックを用いて維持することを特徴とする通信システム。
【請求項６】
複数の同期網からそれぞれ取得した基準クロックを選択する手段と、
所定の切替条件を満たした場合に、主とする基準クロックから従とする基準クロックに選択を切り替える手段と、
選択された基準クロックから所定の周波数の同期クロックを生成する手段と、
選択の切り替え時に生じる同期クロックの位相差を記憶する手段と、
前記同期クロックの位相を補正する手段を有し、
記憶した前記位相差を用いて選択後の同期クロックの位相を補正することにより、切り替え時の同期クロックの位相を維持することを特徴とする同期維持装置。
【発明の詳細な説明】
【技術分野】
【０００１】
本発明は、複数の同期網からの情報を利用してクロック同期や時刻同期を維持する同期維持装置、この装置を有する局側装置、その装置が行う同期クロックの維持方法、並びに、その局側装置を含む通信システムに関する。
【背景技術】
【０００２】
近年、モバイルトラフィックの増加を背景として、１０Ｇ−ＥＰＯＮなどのキャリア網をモバイルバックホールとして利用する検討がなされている。
この場合、移動端末のハンドオーバーを適切に行うためには、各基地局装置のローカル時刻と搬送波周波数を合わせる必要がある。従って、ＰＯＮをモバイルバックホールとして利用する場合、コアネットワークに接続されたＰＯＮには、自身のネットワーク内の通信ノードはもとより、他のキャリア網とも同期していることが求められる。
【０００３】
そこで、非特許文献１に示すように、ＧＰＳ受信機で取得したＴｏＤ（Time of Day）、１ＰＰＳ（Pulse Per Second ）及び１０ＭＨｚ正弦波の網同期クロックと、ＤＣＳ（Digital Clock Supply）で取得した６４ｋ＋８ｋの網同期クロックとをリファレンスとして、周波数と時刻の同期を図る、ハイブリット同期型の１０Ｇ−ＥＰＯＮのＯＬＴ（Optical Line Terminal ）が既に開発されている。
【０００４】
非特許文献１に記載の通り、ＯＮＵ（Optical Network Unit ）は、ＩＥＥＥ１５８８などで標準化されたＰＴＰ（Precision Timing Protocol）方式によりＯＬＴと時刻を同期させることができ、下りフレームの同期用区間から再生した伝送クロックに基づいてＯＬＴと同じ同期クロックを生成することで、ＯＬＴと周波数を同期させることができる。
従って、ＯＬＴと同期した時刻と周波数をＯＮＵが基地局装置に供給すれば、ＯＮＵの配下の基地局装置のローカル時刻と搬送波周波数を合わせることができる。
【先行技術文献】
【非特許文献】
【０００５】
【非特許文献１】「周波数・時刻ハイブリッド同期型10G-EPONシステムの試作評価」  田代隆義他５名  電子情報通信学会  2012年秋ソサイエティ大会 B-8-20
【発明の開示】
【発明が解決しようとする課題】
【０００６】
現在、同期用のリファレンスとしてＧＰＳが広く利用されている。その理由は、ＧＰＳでは、同期情報として、上記の１０ＭＨｚの高精度なクロックと、これに同期したＴｏＤと、タイミングリファレンスパルスである１ＰＰＳの３つが含まれ、周波数同期と時刻同期の双方に対応できるからである。
しかし、ＧＰＳの同期情報は、ＧＰＳ衛星からの無線信号によって取得するものであるから、落雷その他の気象変化によって一時的に取得できなくなる場合がある。
【０００７】
従って、ＯＬＴがＧＰＳの網同期クロックのみを参照して同期クロックを生成すると、ＯＬＴの設置場所の状況により、あるＰＯＮではＧＰＳとクロック同期ができていても、他のＰＯＮではＧＰＳのクロック同期が達成できていない可能性があり、この場合、各ＰＯＮのＯＮＵに繋がる基地局装置の搬送周波数がずれることになる。
本発明は、かかる従来の問題点に鑑み、選択可能な複数の同期網のうちの１つから基準クロックを適切に取得できなくなっても、これまで通りのクロック同期を維持できる同期維持装置等を提供することを第１の目的とする。
【０００８】
なお、上述の非特許文献１には、ＯＬＴがＧＰＳの網同期クロックとＤＣＳの網同期クロックの双方に同期可能であることが記載されているが、ＯＬＴの内部構成が明らかではなく、ＧＰＳの網同期クロックを取得できない場合に、ＤＣＳの網同期クロックをどのように利用するかについては記載されていない。
【０００９】
ところで、わが国では、ＮＴＴなどの通信事業者が、ＧＰＳの同期網（以下、「ＧＰＳ同期網」又は「第１同期網」ともいう。）とは独立した、独自の同期網（以下、「ＤＣＳ同期網」又は「第２同期網」ともいう。）を所有している。
従って、ＯＬＴが生成する同期クロックの参照元をＧＰＳ同期網とＤＣＳ同期網の２つに冗長化すれば、同期クロックの維持や耐故障性の向上などに役立つと考えられる。
【００１０】
しかし、通信事業者が独自に運用するＤＣＳ同期網には、通常、高精度な網同期クロックが含まれているものの、そのクロックに同期したＴｏＤなどの基準時刻が含まれていないのが現状である。
従って、同期クロックを生成する場合の参照元を冗長化できても、同期時刻を生成する場合の参照元を冗長化できないので、落雷などの気象変化でＧＰＳ信号を一時的に受信できない場合には、ＯＬＴがＧＰＳ同期網との時刻同期を図ることができなくなる。
【００１１】
本発明は、かかる従来の問題点に鑑み、時刻同期網から基準時刻を適切に取得できなくなっても、これまで通りの時刻同期を維持できる同期維持装置等を提供することを第２の目的とする。
【課題を解決するための手段】
【００１２】
（１）  本発明の同期維持装置は、参照クロックの選択肢として複数の同期網からそれぞれ取得した基準クロックを含み、選択後の参照クロックから同期クロックを生成するクロック生成部と、前記クロック生成部に参照させる基準クロックを選択可能であり、選択した方の基準クロックが所定の切替条件を満たすか否かを判定可能な制御部と、を備えており、前記制御部は、前記切替条件を満たした場合に、参照クロックを他の基準クロックに切り替える指示を前記クロック生成部に通知し、前記クロック生成部は、前記指示があった場合に、前記指示前の基準クロックから生成していた前記同期クロックと同じ周波数及び位相の同期クロックを、前記指示後の基準クロックから生成することを特徴する。
【００１３】
本発明において、「所定の切替条件」を満たす場合とは、例えば、選択中の基準クロックのエラーを検出した場合や、外部から何らかの操作指示があった場合が該当する。外部からの指示には、例えば、オペレータの操作による人為的な切り替え指示がある。
【００１４】
本発明の同期維持装置によれば、制御部が、選択した方の基準クロックが所定の切替条件を満たした場合に、参照クロックを他の基準クロックに切り替える指示をクロック生成部に通知し、クロック生成部は、その指示があった場合に、指示前の基準クロックから生成していた前記同期クロックと同じ周波数及び位相の同期クロックを、指示後の基準クロックから生成するので、選択可能な複数の同期網のうちの１つ（例えば、ＧＰＳ同期網）の基準クロックにエラー等があったために、その基準クロックを適切に取得できなくなっても、これまで通りのクロック同期を維持することができる。従って、前記第１の目的が達成される。
【００１５】
（２）  本発明の同期維持装置は、複数の同期網のうちの時刻同期網から基準時刻を所定時間ごとに取得し、その所定時間と同期する時間間隔の同期時刻を生成する時刻生成部を、更に備えていてもよい。
この場合、前記時刻生成部は、前記基準時刻に欠落があった場合又は前記指示があった場合に、前記時刻同期網以外の他の同期網から取得した基準クロックに基づく前記時間間隔にて前記同期時刻を生成することが好ましい。
【００１６】
本発明の同期維持装置によれば、時刻生成部が、基準時刻に欠落があった場合又は制御部からの基準クロックの切り替え指示があった場合に、時刻同期網以外の他の同期網から取得した基準クロックに基づく時間間隔にて同期時刻を生成するので、時刻同期網（例えば、ＧＰＳ同期網）の基準時刻や基準クロックを適切に取得できなくなっても、これまで通りの時刻同期を維持することができる。従って、前記第２の目的が達成される。
【００１７】
（３）  本発明の局側装置は、上述の（１）又は（２）のいずれかに記載の同期維持装置と、前記同期維持装置が生成する前記同期クロックが入力される送受信ユニットと、を備えた局側装置であって、前記送受信ユニットは、入力された前記同期クロックに基づく所定の伝送クロックにて配下の宅側装置に下りフレームを送信する通信インタフェースを有することを特徴とする。
【００１８】
本発明の局側装置によれば、送受信ユニットの通信インタフェースが、同期クロックに基づく所定の伝送クロックにて配下の宅側装置に下りフレームに送信するので、宅側装置が所定の伝送クロックの下りフレームから同期クロックを再生すれば、特定の同期網と同期する同期クロックを配下の宅側装置に使用させることができる。
従って、局側装置の配下のすべての宅側装置やこれに接続する外部機器について、クロック同期を図ることができる。
【００１９】
本発明の局側装置において、前記同期維持装置が生成する前記同期時刻が前記送受信ユニットに入力される場合には、前記通信インタフェースは、入力された前記同期時刻に基づくタイムスタンプを記した同期用フレームを配下の前記宅側装置に送信することが好ましい。
このようにすれば、局側装置の配下のすべての宅側装置やこれに接続する外部機器について、時刻同期を図ることができる。
【００２０】
（４）  本発明方法は、参照クロックの選択肢として複数の同期網からそれぞれ取得した基準クロックを用いて行う、同期クロックの維持方法であって、複数の基準クロックの中から選択した１つの基準クロックから同期クロックを生成するステップと、選択中の基準クロックが所定の切替条件を満たした場合に、参照クロックを他の基準クロックに切り替えるステップと、切り替え前の基準クロックから生成していた前記同期クロックと同じ周波数及び位相の同期クロックを、切り替え後の基準クロックから生成するステップと、を含むことを特徴する。
【００２１】
本発明方法によれば、選択中の基準クロックが所定の切替条件を満たした場合に、参照クロックを他の基準クロックに切り替え、切り替え前の基準クロックから生成していた同期クロックと同じ周波数及び位相の同期クロックを、切り替え後の基準クロックから生成するので、選択可能な複数の同期網のうちの１つ（例えば、ＧＰＳ同期網）の基準クロックにエラー等があったために、その基準クロックを適切に取得できなくなっても、これまで通りのクロック同期を維持することができる。従って、前記第１の目的が達成される。
【００２２】
（５）  本発明の通信システムは、コアネットワークに繋がる複数のキャリア網を備えた通信システムであって、前記キャリア網は、同期クロックの生成に用いる基準クロックを複数の同期網から取得可能な局側装置と、前記局側装置が送信する下りフレームから前記同期クロックを再生する宅側装置とを含み、前記局側装置は、複数の同期網の１つから取得した基準クロックが所定の切替条件を満たした場合に、その基準クロックから生成していた前記同期クロックと同じ周波数と位相の同期クロックの生成を、他の同期網から取得した基準クロックを用いて維持することを特徴とする。
【００２３】
本発明の通信システムによれば、局側装置が、複数の同期網の１つから取得した基準クロックが所定の切替条件を満たした場合に、その基準クロックから生成していた同期クロックと同じ周波数と位相の同期クロックの生成を、他の同期網から取得した基準クロックを用いて維持するので、複数の同期網のうちの１つ（例えば、ＧＰＳ同期網）の基準クロックにエラー等があったために、その基準クロックを適切に取得できなくなっても、これまで通りのクロック同期を維持することができる。従って、前記第１の目的が達成される。
【００２４】
本発明の通信システムにおいて、前記局側装置が、複数の同期網のうちの時刻同期網から基準時刻を所定時間ごとに取得し、その所定時間と同期する時間間隔の同期時刻を生成可能であり、前記宅側装置が、前記局側装置と送受信する同期用メッセージにて前記局側装置と時刻同期が可能であること好ましい。
また、この場合、前記局側装置は、前記基準時刻に欠落があった場合、或いは、前記時刻同期網から取得する基準クロックが所定の切替条件を満たした場合に、前記同期時刻の生成を、他の同期網から取得した基準クロックを用いて維持することが好ましい。
【００２５】
本発明の通信システムによれば、局側装置が、基準時刻に欠落があった場合、或いは、その時刻同期網から取得する基準クロックが所定の切替条件を満たした場合に、同期時刻の生成を、他の同期網から取得した基準クロックを用いて維持するので、基準時刻の欠落や時刻同期網の基準クロックのエラー等のために、基準時刻を適切に取得できなくなっても、これまで通りの時刻同期を維持することができる。従って、前記第２の目的が達成される。
【００２６】
（６）  他の観点から見た本発明の同期維持装置は、複数の同期網からそれぞれ取得した基準クロックを選択する手段と、所定の切替条件を満たした場合に、主とする基準クロックから従とする基準クロックに選択を切り替える手段と、選択された基準クロックから所定の周波数の同期クロックを生成する手段と、選択の切り替え時に生じる同期クロックの位相差を記憶する手段と、前記同期クロックの位相を補正する手段を有し、記憶した前記位相差を用いて選択後の同期クロックの位相を補正することにより、切り替え時の同期クロックの位相を維持することを特徴とする。
【００２７】
本発明の同期維持装置によれば、基準クロックの選択の切り替え時にその位相差を記憶しておき、記憶した位相差を用いて選択後の同期クロックの位相を補正することにより、切り替え時の同期クロックの位相を維持するので、ある同期網の基準クロックが何らかの原因で取得できなくなっても、他の同期網の基準クロックによってこれまで通りのクロック同期を維持することができる。従って、前記第１の目的が達成される。
【発明の効果】
【００２８】
以上の通り、本発明によれば、選択可能な複数の同期網のうちの１つから基準クロックを適切に取得できなくなっても、これまで通りのクロック同期を維持することができる。
また、本発明によれば、時刻同期網から基準時刻を適切に取得できなくなっても、これまで通りの時刻同期を維持することができる。
【図面の簡単な説明】
【００２９】
【図１】本発明の実施形態に係る通信システムの全体構成図である。
【図２】ＯＬＴの同期情報の生成及び伝送に関する機能ブロック図である。
【図３】ＯＳＵの同期情報の生成及び伝送に関する機能ブロック図である。
【図４】クロックボードの内部構成を示す機能ブロック図である。
【図５】制御部による参照クロックの選択ポリシーを示す表である。
【発明を実施するための形態】
【００３０】
以下、図面に基づいて、本発明の実施形態を説明する。
〔通信システムの全体構成〕
図１は、本発明の実施形態に係る通信システムの全体構成を示す図である。
図１に示すように、本実施形態の通信システムは、通信事業者のキャリア網２をモバイルバックホールとして利用した移動体通信網を構成しており、コアネットワーク１と、このネットワーク１に繋がる有線通信網である複数のキャリア網２を備えている。
【００３１】
キャリア網２は、例えば１０Ｇ−ＥＰＯＮなどのＰＯＮよりなる。図１の例では、ＰＯＮよりなるキャリア網２が２つ図示されているが、３つ以上のキャリア網２がコアネットワーク１に接続されていてもよい。
各ＰＯＮ２，２…は、１つのＯＬＴ３と、ＯＬＴ３と光ファイバによりＰ２ＭＰ形態で接続された複数のＯＮＵ４とを備えている。各々のＯＮＵ４には、１又は複数の基地局装置５が接続されている。
【００３２】
基地局装置５は、例えば３ＧＰＰやＬＴＥなどの通信方式を採用しており、図示しない携帯電話機などの移動端末との無線通信が可能である。移動端末は、いずれかの基地局装置５のセル内において当該基地局装置５と無線通信を行う。
各ＯＬＴ３には、後述の「同期情報」を含むＧＰＳ信号を受信可能な２つのＧＰＳ受信機７Ａ，７Ｂが接続され、ＧＰＳ同期の耐故障性を強化した冗長構成となっている。２つのＧＰＳ受信機７Ａ，７Ｂの設置位置は、特に限定されないが、例えばＯＬＴ３が設置される局舎の屋上に、所定の距離だけ離れた状態で設置されている。
【００３３】
２つのＧＰＳ受信機７Ａ，７Ｂは、受信した同期情報をそれぞれＯＬＴ３に入力する。ＯＬＴ３は、２つのＧＰＳ受信機７Ａ，７Ｂから入力された同期情報のうちのいずれか一方を、時刻や周波数の同期処理ためのリファレンスとして使用する。
第１同期網を構成するＧＰＳ衛星６が送信する「同期情報」には、高精度な１０ＭＨｚの網同期クロックと、１秒ごとのパルス信号である「１ＰＰＳ」（「ＰＰＳ」ともいう。）と、これらに同期した１秒ごとに進行する時刻情報である「ＴｏＤ」とが含まれる。
【００３４】
各ＯＬＴ３には、６４ｋ＋８ｋの網同期クロックを受信可能な２つのＤＣＳ受信機８Ａ，８Ｂが接続され、ＤＣＳ同期の耐故障性を強化した冗長構成となっている。２つのＤＣＳ受信機８Ａ，８Ｂは、通信事業者が独自に運用する第２同期網に繋がっており、第２同期網から受信した網同期クロックをＯＬＴ３に入力する。
ＯＬＴ３は、２つのＤＣＳ受信機８Ａ，８Ｂから入力された網同期クロックのうちのいずれか一方を、周波数の同期処理ためのリファレンスとして使用する。
【００３５】
なお、以下において、ＧＰＳ受信機７Ａ，７Ｂから取得する１０ＭＨｚの網同期クロックを「ＧＰＳクロック」といい、ＤＣＳ受信機８Ａ，８Ｂから受信する６４ｋＨｚと８ｋＨｚの合成クロック信号である網同期クロックを「ＤＣＳクロック」という場合がある。
【００３６】
図１の移動体通信網において、ＯＮＵ４に繋がる複数の基地局装置５が移動端末のハンドオーバーを適切に実行するには、各々の基地局装置５のローカル時刻と搬送周波数が一致している必要がある。
そこで、本実施形態のＰＯＮ２では、例えばＩＥＥＥ１５８８やＩＥＥＥ８０２．１ＡＳにて標準化されたＰＴＰ方式により、ＯＬＴ３と各ＯＮＵ４との間で時刻同期が取られている。
【００３７】
すなわち、ＯＬＴ３は、各ＯＮＵ４との間のＲＴＴ（Round Trip Time）を測定し、ＴｏＤに従って自身のマスタクロックが生成したタイムスタンプと、測定したＲＴＴとを記した同期用メッセージを、各ＯＮＵ４に送信する。
そして、各ＯＮＵ４は、受信した同期用メッセージからタイムスタンプとＲＴＴを抽出し、そのＲＴＴ分だけタイプスタンプ値を補正した時刻値を自身のローカル時刻とすることにより、ＯＬＴ３との間の時刻同期を行う。
【００３８】
また、ＯＬＴ３は、ＧＰＳクロック又はＤＣＳクロックから生成した同期クロックを所定倍率で逓倍したクロックを用いて、所定の伝送速度（本実施形態では１０Ｇｂｐｓ）の下りフレームを生成し、生成した下りフレームを各ＯＮＵ４に送信する。
各ＯＮＵ４は、自身のＣＤＲ（Clock Data Recovery）により、受信した下りフレームの先頭部分に含まれる同期用区間（プリアンブル）から下りの伝送クロックを再生し、再生した伝送クロックを分周して、ＯＬＴ３側と同じ１０ＭＨｚのクロック信号を生成する。
【００３９】
そして、各ＯＮＵ４は、自身に繋がる基地局装置５などの外部機器に、自身のローカル時刻と１０ＭＨｚのクロック信号とを提供する。基地局装置５は、通知された時刻と１０ＭＨｚのクロック信号を基準として、移動端末との無線通信を行う。
このように、本実施形態の通信システムでは、ＧＰＳ衛星６の同期情報に従う各ＯＬＴ３が、配下のＯＮＵ４との間で時刻と周波数をアクセス同期させており、ＰＯＮ２に属するＯＮＵ４がアクセス同期にて取得した時刻と周波数を基地局装置５に提供する。
【００４０】
従って、コアネットワーク１が非同期のネットワークシステムであっても、各々のＰＯＮ２に属するＯＮＵ４や基地局装置５などの通信ノードのローカル時刻と使用周波数を同期させることができる。
このため、基地局装置５は、どのＰＯＮ２のＯＮＵ４に接続されているかに関係なく、正確なローカル時刻と搬送周波数にて移動端末と無線通信することができ、隣接する他の基地局装置５とのハンドオーバーを適切に行うことができる。
【００４１】
〔ＯＬＴの内部構成〕
図２は、ＯＬＴ３の同期クロックの生成及び伝送に関する機能ブロック図である。
図２に示すように、ＯＬＴ３は、２つのクロックボード１１Ａ，１１Ｂ、切替制御部１２、バックプレーン１３及び複数のＯＳＵ（Optical Subscriber Unit）１４を備えている。これらの各部は、ＯＬＴ３の筐体（図２の二点鎖線）の内部に収容されている。なお、ＯＳＵ１４の数は、図２で例示した１６個に限定されるものではない。
【００４２】
図２において、ＯＬＴ３内の各クロックボード１１Ａ，１１Ｂは、本発明における「同期維持装置」を構成している。
また、図２において、ＯＮＵ４と光ファイバで繋がるＯＳＵ１４は、同期維持装置から同期クロックＣＬａ，ＣＬｂや同期時刻Ｔａ，Ｔｂが入力される「送受信ユニット」に相当する。ＯＬＴ３は、上記同期維持装置と複数の送受信ユニットとを備えたキャリア網２の「局側装置」に相当し、ＯＮＵ４は、そのキャリア網２の「宅側装置」に相当する。
【００４３】
本実施形態では、説明の便宜上、添え字「Ａ」又は「ａ」を付した場合（例えば、クロックボード１１Ａ）を「第１系統」とし、添え字「Ｂ」又は「ｂ」を付した場合（例えば、クロックボード１１Ｂ）を「第２系統」とする。
また、本明細書において、「運用系」とは、現時点において恒常的に使用している方の系統のことをいい、「予備系」とは、異常等が原因で運用系を使用しない場合に、その代わりに使用する予備的なの系統のことをいう。
【００４４】
第１系統のクロックボード１１Ａには、ＧＰＳ受信機７Ａの同期情報であるＧＰＳクロック、ＴｏＤ及びＰＰＳと、ＤＣＳ受信機８Ａからの同期情報であるＤＣＳクロックが入力される。
クロックボード１１Ａは、ＧＰＳクロック又はＤＣＳクロックを参照クロックとして、ＧＰＳクロックと同じ周波数（１０ＭＨｚ）の同期クロックＣＬａを生成し、生成した同期クロックＣＬａをバックプレーン１３に出力する。
【００４５】
クロックボード１１Ａは、ＧＰＳ受信機７Ａから所定時間（１秒）ごとに入力されるＴｏＤについては、その所定時間と同じ時間間隔（１秒）で同期する同期時刻Ｔａを生成し、生成した同期時刻Ｔａをバックプレーン１３に出力する。
また、クロックボード１１Ａは、ＧＰＳ受信機７Ａから所定時間（１秒）ごとに入力されるＰＰＳについても、これと同期する同期クロックであるＰＰＳａを生成し、生成したＰＰＳａをバックプレーン１３に出力する。
【００４６】
第２系統のクロックボード１１Ｂには、ＧＰＳ受信機７Ｂの同期情報であるＧＰＳクロック、ＴｏＤ及びＰＰＳと、ＤＣＳ受信機８Ｂからの同期情報であるＤＣＳクロックが入力される。
クロックボード１１Ｂは、ＧＰＳクロック又はＤＣＳクロックを参照クロックとして、ＧＰＳクロックと同じ周波数（１０ＭＨｚ）の同期クロックＣＬｂを生成し、生成した同期クロックＣＬｂをバックプレーン１３に出力する。
【００４７】
クロックボード１１Ｂは、ＧＰＳ受信機７Ｂから所定時間（１秒）ごとに入力されるＴｏＤについては、その所定時間と同じ時間間隔（１秒）で同期する同期時刻Ｔｂを生成し、生成した同期時刻Ｔｂをバックプレーン１３に出力する。
また、クロックボード１１Ｂは、ＧＰＳ受信機７Ｂから所定時間（１秒）ごとに入力されるＰＰＳについても、これと同期する同期クロックであるＰＰＳｂを生成し、生成したＰＰＳｂをバックプレーン１３に出力する。
【００４８】
バックプレーン１３は、１本のスイッチ用信号線Ｃと、それぞれ２本ずつの同期情報伝送用の信号線Ｘａ，Ｘｂ，Ｙａ，Ｙｂ，Ｚａ，Ｚｂとを有する。
このうち、スイッチ用信号線Ｃは、切替制御部１２と、各ＯＳＵ１４に接続されている。従って、切替制御部１２が出力する切り替え信号Ｓｃは、スイッチ用信号線Ｃを介して各ＯＳＵ１４にそれぞれ入力される。
【００４９】
同期クロックＣＬａ伝送用の信号線Ｘａは、クロックボード１１Ａと各ＯＳＵ１４に接続されている。従って、クロックボード１１Ａが出力する同期クロックＣＬａは、信号線Ｘａを介して各ＯＳＵ１４にそれぞれ供給される。
同期クロックＣＬｂ伝送用の信号線Ｘｂは、クロックボード１１Ｂと各ＯＳＵ１４に接続されている。従って、クロックボード１１Ｂが出力する同期クロックＣＬｂは、信号線Ｘｂを介して各ＯＳＵ１４にそれぞれ供給される。
【００５０】
ＰＰＳａ伝送用の信号線Ｙａは、クロックボード１１Ａと各ＯＳＵ１４に接続されている。従って、クロックボード１１Ａが出力するＰＰＳａは、信号線Ｙａを介して各ＯＳＵ１４にそれぞれ供給される。
ＰＰＳｂ伝送用の信号線Ｙｂは、クロックボード１１Ｂと各ＯＳＵ１４に接続されている。従って、クロックボード１１Ｂが出力するＰＰＳｂは、信号線Ｙｂを介して各ＯＳＵ１４にそれぞれ供給される。
【００５１】
Ｔａ伝送用の信号線Ｚａは、クロックボード１１Ａと各ＯＳＵ１４に接続されている。従って、クロックボード１１Ａが出力する同期時刻Ｔａは、信号線Ｚａを介して各ＯＳＵ１４にそれぞれ供給される。
Ｔｂ伝送用の信号線Ｘｂは、クロックボード１１Ｂと各ＯＳＵ１４に接続されている。従って、クロックボード１１Ｂが出力する同期時刻Ｔｂは、信号線Ｚｂを介して各ＯＳＵ１４にそれぞれ供給される。
【００５２】
切替制御部１２は、筐体内の基板（図示せず）が出力するボード検出信号に基づいて、いずれかのクロックボード１１Ａ，１１Ｂが基板のコネクタに正常に挿入されているか否かを検出する、異常検出機能を有する。
また、切替制御部１２は、その他の異常検出機能として、同期クロックＣＬａ，ＣＬｂなどの同期情報が所望の周波数範囲を逸脱しているか否か、或いは、所望の振幅に達してないか否かを判定することにより、同期情報の異常を検出することもできる。
【００５３】
切替制御部１２は、バックプレーン１３のスイッチ用信号線Ｃを通じて各ＯＳＵ１４に切り替え信号Ｓｃを出力することにより、ＯＳＵ１４が使用する同期クロックなどの同期情報の参照元が、クロックボード１１Ａ又はクロックボード１１Ｂのいずれであるかを各ＯＳＵ１４に通知することができる。
【００５４】
例えば、第１系統のクロックボード１１Ａを運用系とし、第２系統のクロックボード１１Ｂを予備系とする場合は、切替制御部１２は、切り替え信号Ｓｃを「第１系統」（Ａ系）にセットする。
また、第１系統のクロックボード１１Ａに異常を検出したためを、第２系統のクロックボード１１Ｂを運用系とし、第１系統のクロックボード１１Ａを予備系とする場合は、切替制御部１２は、切り替え信号Ｓｃを「第２系統」（Ｂ系）にセットする。
【００５５】
〔ＯＳＵの内部構成〕
図３は、ＯＳＵ１４の同期情報の生成及び伝送に関する機能ブロック図である。
図３に示すように、各ＯＳＵ１４は、図示の上側から順に、クロック抽出部２０と、この抽出部２０が再生成した同期クロックが供給されるＰＯＮインタフェース２１と、２つのセレクタ２２，２３とを内部に有する。
クロック抽出部２０は、参照クロックの入力元が切り替え可能に構成されたＰＬＬ回路を内部に具備する。
【００５６】
クロック抽出部２０のＰＬＬ回路は、切替制御部１２からの切り替え信号Ｓｃによって選択された参照クロック（同期クロックＣＬａ又は同期クロックＣＬｂ）に基づいて同期クロックを再生成し、同期状態を保持するとともに、再生成した同期クロックをＰＯＮインタフェース２１に入力する。
【００５７】
すなわち、クロック抽出部２０は、切替制御部１２の切り替え信号Ｓｃが「第１系統」（Ａ系）を指示している場合は、クロックボード１１Ａの同期クロックＣＬａを参照クロックとして自身のＰＬＬ回路に入力し、その参照クロックの同期クロックを生成させる。
また、クロック抽出部２０は、切替制御部１２の切り替え信号Ｓｃが「第２系統」（Ｂ系）を指示している場合は、クロックボード１１Ｂの同期クロックＣＬｂを、参照クロックとして自身のＰＬＬ回路に入力し、その参照クロックの同期クロックを生成させる。
【００５８】
セレクタ２２は、ＰＰＳ切替用のスイッチング素子であり、切替制御部１２の切り替え信号Ｓｃに応じて、ＰＰＳａ又はＰＰＳｂをＰＯＮインタフェース２１に入力する。
すなわち、セレクタ２２は、切り替え信号Ｓｃが「第１系統」（Ａ系）を指示している場合は、クロックボード１１ＡのＰＰＳａをＰＯＮインタフェース２１に入力し、切り替え信号Ｓｃが「第２系統」（Ｂ系）を指示している場合は、クロックボード１１ＢのＰＰＳｂをＰＯＮインタフェース２１に入力する。
【００５９】
セレクタ２３は、同期時刻切替用のスイッチング素子であり、切替制御部１２の切り替え信号Ｓｃに応じて、同期時刻Ｔａ又は同期時刻ＴｂをＰＯＮインタフェース２１に入力する。
すなわち、セレクタ２３は、切り替え信号Ｓｃが「第１系統」（Ａ系）を指示している場合は、クロックボード１１Ａの同期時刻ＴａをＰＯＮインタフェース２１に入力し、切り替え信号Ｓｃが「第２系統」（Ｂ系）を指示している場合は、クロックボード１１Ｂの同期時刻ＴｂをＰＯＮインタフェース２１に入力する。
【００６０】
ＰＯＮインタフェース２１は、ＯＮＵ４のＰＯＮインタフェース２４との間で光ファイバを伝送路としたＰＯＮ通信を行う通信インタフェースである。これらのＰＯＮインタフェース２１，２４は、ＭＰＣＰやＯＡＭなどの通信制御を行うＭＡＣチップや、電気信号と光信号の相互変換を行う光送受信モジュールなどの通信デバイスを備える。
ＰＯＮインタフェース２１は、クロック抽出部２０から供給された同期クロックに基づく所定の伝送クロックにて、ＯＮＵ４のＰＯＮインタフェース２４とＰＯＮ通信を行うことにより、ＯＮＵ４のＰＯＮインタフェース２４にクロック同期を行わせる。
【００６１】
具体的には、ＯＳＵ１４のＰＯＮインタフェース２１は、クロック抽出部２０から供給された同期クロックを所定倍率で逓倍したクロックを用いて、所定の伝送速度（本実施形態では１０Ｇｂｐｓ）の下りフレームを生成し、生成した下りフレームを各ＯＮＵ４のＰＯＮインタフェース２４に送信する。
ＯＮＵ４のＰＯＮインタフェース２４は、受信した下りフレームの先頭部分に含まれる同期用区間（プリアンブル）から下りの伝送クロックを再生し、再生した伝送クロックを分周して１０ＭＨｚのクロック信号を生成し、ＯＳＵ１４との間のクロック同期を行う。
【００６２】
ＯＳＵ１４のＰＯＮインタフェース２１は、セレクタ２２から入力されたＰＰＳ（ＰＰＳａ又はＰＰＳｂ）とＴｏＤ（Ｔａ又はＴｂ）に従って、自身のマスタクロックにてタイムスタンプを生成し、生成したタイムスタンプと各ＯＮＵ４との間のＲＴＴとを記した同期用メッセージを各ＯＮＵ４に送信する。
ＯＮＵ４のＰＯＮインタフェース２４は、同期用メッセージからタイムスタンプとＲＴＴを抽出し、そのＲＴＴ分だけタイプスタンプ値を補正した時刻値を自身のローカル時刻とすることにより、ＯＳＵ１４との間の時刻同期を行う。
【００６３】
〔クロックボードの内部構成〕
図４は、第１系統のクロックボード１１Ａの内部構成を示す機能ブロック図である。
なお、第２系統のクロックボード１１Ｂの内部構成は、第１系統のクロックボード１１Ａの内部構成と同様であるから、その図示と詳細な説明を省略する。
【００６４】
図４に示すように、クロックボード１１Ａは、図示の左側から順に、信号抽出部３０、時刻生成部３１、制御部３２及びクロック生成部３３を備える。また、クロック生成部３３は、周波数変換部３４、位相比較部３５、セレクタ３６及びロック部３７を有する。
ＤＣＳ受信機８Ａが出力するＤＣＳクロック（６４ｋ＋８ｋの網同期クロック）は、信号抽出部３０に入力される。
【００６５】
信号抽出部３０は、Ｕ／Ｂ（ユニポーラ／バイポーラ）変換回路よりなる。この変換回路は、ＤＣＳ受信機８ＡのＤＣＳクロックから８ｋＨｚのクロック信号を抽出し、抽出したクロック信号を、クロック生成部３３の周波数変換部３４に入力する。
周波数変換部３４は、信号抽出部３０から入力された８ｋＨｚのクロック信号を１０ＭＨｚのクロック信号に変換し、変換したクロック信号をセレクタ３６の一方の入力端子に入力する。
【００６６】
ＧＰＳ受信機８Ａが出力するＧＰＳクロック（１０ＭＨｚの網同期クロック）は、セレクタ３６の他方の入力端子に入力され、ＧＰＳ受信機８Ａが出力するＰＰＳは、ロック部３７に入力され、ＧＰＳ受信機８Ａが出力するＴｏＤは、時刻生成部３１に入力される。
制御部３２は、ＧＰＳクロックとＤＣＳ由来の基準クロック（８ｋＨｚ）をそれぞれ監視しており、それらの信号の有無や信号がある場合の精度劣化を検出する。
【００６７】
例えば、制御部３２は、ＧＰＳクロックの精度劣化については、それをＤＣＳ由来の基準クロック（８ｋＨｚ）を１０ＭＨｚに逓倍したクロックと、クロックボード１１Ａのその他の内部クロック（図示せず）と比較することによって判定する。
また、制御部３２は、ＤＣＳ由来の基準クロック（８ｋＨｚ）の精度劣化については、これを１０ＭＨｚに逓倍したものを、ＧＰＳクロックや内部クロックと比較することによって判定する。
【００６８】
図５は、制御部３２による参照クロックの選択ポリシーを示す表である。
制御部３２は、図５に示す選択ポリシーに従って、「ＧＰＳ」、「ＤＣＳ」又は「内部クロック」のいずれを参照クロックとして採用させるかを決定するとともに、決定した参照クロックの内容を、切り替え信号Ｓｄによってクロックボード１１Ａの各部に指示することができる。
【００６９】
図５に示すように、制御部３２は、「ＧＰＳ」→「ＤＣＳ」→「内部クロック」の順の優先順位にて、参照クロックを選択する。
具体的には、制御部３２は、「ＧＰＳ」が高精度である場合は、「ＤＣＳ」の信号の有無や精度に関係なく、「ＧＰＳ」を参照クロックとして選択する（図５のエントリ１〜３参照）。
【００７０】
また、制御部３２は、「ＧＰＳ」が低精度である場合は、「ＤＣＳ」が高精度であれば「ＤＣＳ」を参照クロックとして選択し（図５のエントリ４参照）、「ＤＣＳ」が低精度又は信号なしの場合には、「内部クロック」を参照クロックとして選択する（図５のエントリ５及び６参照）。
更に、制御部３２は、「ＧＰＳ」が信号なしの場合は、「ＤＣＳ」が高精度であれば「ＤＣＳ」を参照クロックとして選択し（図５のエントリ７参照）、「ＤＣＳ」が低精度又は信号なしの場合には、「内部クロック」を参照クロックとして選択する（図５のエントリ８及び９参照）。
【００７１】
図４に戻り、時刻生成部３１は、所定時間（１秒）ごとに入力されるＴｏＤの時刻値を記憶するレジスタと、選択可能な参照クロックを用いてＴｏＤの入力時点からの時刻をカウントするカウンタとを有している。
時刻生成部３１のカウンタは、ＧＰＳクロックとＤＣＳ由来の８ｋＨｚのクロック信号を参照クロックとして選択可能である。
【００７２】
時刻生成部３１のカウンタは、ＴｏＤが欠落しておらず、かつ、制御部３２の切り替え信号Ｓｄが「ＧＰＳ」を指示する場合は、ＧＰＳクロックに基づいて時刻をカウントし、ＴｏＤの入力時点から所定時間経過後に、ＴｏＤの時刻値の次の時刻値を出力する。
すなわち、時刻生成部３１は、ＧＰＳ受信機８Ａの同期情報に異常がない場合は、ＧＰＳクロックに基づいてカウントした、ＴｏＤの所定時間と同期する時間間隔にて同期時刻Ｔａを生成する。
【００７３】
また、時刻生成部３１のカウンタは、ＴｏＤが欠落している場合や、制御部３２からの切り替え信号Ｓｄが「ＤＣＳ」を指示する場合は、ＤＣＳ由来の８ｋＨｚのクロック信号に基づいて時刻をカウントし、ＴｏＤの入力時点から所定時間経過後に、ＴｏＤの時刻値の次の時刻値を出力する。
すなわち、ＧＰＳ受信機８Ａからの同期情報に異常がある場合は、ＤＣＳ由来の８ｋＨｚのクロック信号（基準クロック）に基づいてカウントした、ＴｏＤの所定時間と同期した時間間隔にて同期時刻Ｔａを生成する。
【００７４】
セレクタ３６は、２入力１出力が可能なスイッチング素子よりなる。セレクタ３６の一方の入力端子には、ＤＣＳ由来の１０ＭＨｚの基準クロックが入力され、他方の入力端子には、ＧＰＳクロックが入力される。
セレクタ３６は、制御部３２の切り替え信号Ｓｄによる指示が「ＧＰＳ」である場合は、ＧＰＳクロックをロック部３７に入力し、その切り替え信号Ｓｄによる指示が「ＤＣＳ」である場合は、ＤＣＳ由来の１０ＭＨｚの基準クロックをロック部３７に入力する。
【００７５】
位相比較部３５は、ＧＰＳクロックとＤＣＳ由来の１０ＭＨｚの基準クロックとの位相差を検出しており、制御部３２の切り替え信号Ｓｄによる指示が切り替わった場合に、検出した位相差をロック部３７に通知する。
ロック部３７は、ＰＰＳクロック及び１０ＭＨｚクロックとそれぞれ位相同期する少なくとも２種類のＰＬＬ回路を含む。このうち、ロック部３７のＰＰＳ用のＰＬＬ回路は、入力されたＰＰＳを参照クロックとしてこれに同期したクロック信号であるＰＰＳａを生成する。
【００７６】
一方、ロック部３７の１０ＭＨｚ用のＰＬＬ回路は、セレクタ３６から入力された基準クロックを参照クロックとして、これに同期したクロック信号である同期クロックＣＬａを生成する。
また、この１０ＭＨｚ用のＰＬＬ回路は、位相比較部３５から位相差が入力された場合には、その位相差の分だけ位相をオフセットして上記の同期クロックＣＬａを生成する。
【００７７】
〔クロックボード及びＯＬＴの効果〕
以上の通り、本実施形態のクロックボード１１Ａ，１１Ｂ（同期維持装置）によれば、制御部３２が、選択中のＧＰＳクロックのエラーを検出した場合に、参照クロックをＤＣＳ由来の基準クロックに切り替える指示をクロック生成部３３に通知し、クロック生成部３３は、その指示があった場合に、その指示前にＧＰＳクロックから生成していた同期クロックＣＬａと同じ周波数及び位相の同期クロックを、その指示後のＤＣＳ由来の基準クロックから生成する。
【００７８】
より具体的には、位相比較部３５が、基準クロックの選択の切り替え時に位相差を検出してそれを記憶しており、ロック部３７が、選択が切り替えられた後の基準クロックから同期クロックＣＬｂを生成する場合に、位相比較部３５から通知された位相差を用いてその同期クロックＣＬｂの位相を補正することにより、切り替え時の同期クロックＣＬａの位相を維持する。
【００７９】
従って、落雷などの気象変化によって第１同期網（ＧＰＳ同期網）のＧＰＳクロックを適切に取得できなくなっても、これまで通りのクロック同期を維持することができる。
このため、ＯＬＴ３は、落雷などの外乱の発生前と同じ同期クロックＣＬａ，ＣＬｂにて、配下のＯＮＵ４とのクロック同期を維持することができ、その外乱によってＯＮＵ４に繋がる基地局装置５の搬送周波数がずれるのを未然に防止することができる。
【００８０】
なお、本実施形態のクロックボード１１Ａ，１１Ｂでは、上記とは逆に、制御部３２は、選択中のＤＣＳ由来の基準クロックのエラーを検出した場合に、参照クロックをＧＰＳクロックに切り替える指示をクロック生成部３３に通知し、クロック生成部３３は、その指示があった場合に、その指示前にＤＣＳ由来の基準クロックから生成していた同期クロックＣＬｂと同じ周波数及び位相の同期クロックを、その指示後のＧＰＳクロックから生成することもできる。
【００８１】
従って、何らかの原因で第２同期網（ＤＣＳ同期網）の基準クロックにエラーが発生したために、第２同期網の網同期クロックを適切に取得できなくなっても、これまで通りのクロック同期を維持することができる。
また、本実施形態のクロックボード１１Ａ，１１Ｂによれば、時刻生成部３１が、第１同期網のＴｏＤに欠落があった場合やＧＰＳクロックにエラーがあった場合に、第２同期網から取得したＤＣＳ由来の基準クロックに基づく時間間隔にて同期時刻Ｔａ，Ｔｂを生成する。
【００８２】
従って、落雷などの気象変化によって第１同期網（ＧＰＳ同期網）のＴｏＤやＧＰＳクロックを適切に取得できなくなった場合でも、これまで通りの時刻同期を維持することができる。
このため、ＯＬＴ３は、落雷などの外乱の発生前と同じ同期時刻Ｔａ，Ｔｂにて、配下のＯＮＵ４との時刻同期を維持することができ、その外乱によってＯＮＵ４に繋がる基地局装置５のローカル時刻がずれるのを未然に防止することができる。
【００８３】
本実施形態のＯＬＴ３によれば、ＯＬＴ３に搭載された複数のＯＳＵ１４のＰＯＮインタフェース２１が、同期クロックＣＬａ，ＣＬｂに基づく所定の伝送クロックにて配下のＯＮＵ４に下りフレームを送信し、ＯＮＵ４のＰＯＮインタフェース２４が、所定の伝送クロックの下りフレームから同期クロックＣＬａ，ＣＬｂを再生する。
従って、ＯＬＴ３の配下のすべてのＯＮＵ４や、これに接続する基地局装置５などの外部機器について、クロック同期を図ることができる。
【００８４】
また、本実施形態のＯＬＴ３によれば、ＯＬＴ３に搭載された複数のＯＳＵ１４のＰＯＮインタフェース２１が、クロックボード１１Ａ，１１Ｂから入力された同期時刻Ｔａ，Ｔｂに基づくタイムスタンプを記した同期用メッセージをＯＮＵ４に送信し、ＯＮＵ５のＰＯＮインタフェース２４が、その同期用メッセージから抽出したタイムスタンプを用いて自身のローカル時刻を設定する。
従って、ＯＬＴ３の配下のすべてのＯＮＵ４や、これに接続する基地局装置５などの外部機器について、時刻同期を図ることができる。
【００８５】
〔その他の変形例〕
本発明の権利範囲は、上述の実施形態ではなく特許請求の範囲によって示され、特許請求の範囲及びその構成と均等な範囲内のすべての変更が含まれる。
例えば、上述の実施形態では、ＧＰＳ受信機７Ａ，７Ｂ及びＤＣＳ受信機８Ａ，８Ｂとクロックボード１１Ａ，１１Ｂがそれぞれ２つある冗長構成の場合を例示したが、これらの各部材を１つずつ設けた単独構成を採用してもよい。
【００８６】
また、上述の実施形態において、キャリア網２は、ＰＯＮ以外の有線通信網を採用することができる。
例えば、キャリア網２は、ツリー構造のＡｃｔｉＯＮ（Active Optical Network）であってもよいし、同軸ケーブル（Ｃｏａｘ）を使用したＣＤＮ（Coaxial Distribution Network ）やＨＦＣ（Hybrid Fiber-Coaxial Network）であってもよい。
【００８７】
上述の実施形態では、選択中の基準クロック（ＧＰＳクロック）を他の基準クロック（ＤＣＳクロック）に切り替える契機として、選択中の基準クロックにエラーを検出した場合を例示したが、その切り替えの契機は、例えば、オペレータによる手動の操作入力などの外部からの指示信号であってもよい。
この場合、アンテナ等のメンテナンスのためにＧＰＳ受信機７Ａ，７Ｂの動作を停止する前に、基準クロックをＤＣＳクロックに強制的に切り替えれば、クロック同期や時刻同期を維持することができる。
【００８８】
〔付記〕
上述の〔課題を解決するための手段〕の欄では、第１の目的を主眼として発明の構成とその作用効果を展開したが、第２の目的を主眼として発明の構成（請求項）とその作用効果を展開すると、例えば次のようになる。
【００８９】
（請求項１）
複数の同期網のうちの時刻同期網から基準時刻を所定時間ごとに取得し、その所定時間と同期する時間間隔の同期時刻を生成する時刻生成部と、
前記時刻生成部に参照させる基準クロックを選択可能であり、選択した方の基準クロックが所定の切替条件を満たすか否かを判定可能な制御部と、を備えており、
前記制御部は、前記切替条件を満たした場合に、参照クロックを前記時刻同期網以外の他の同期網の基準クロックに切り替える指示を前記時刻生成部に通知し、
前記時刻生成部は、前記基準時刻に欠落があった場合又は前記指示があった場合に、前記他の同期網の基準クロックに基づく前記時間間隔にて前記同期時刻を生成することを特徴とする同期維持装置。
【００９０】
（請求項１の効果）
本発明の同期維持装置によれば、時刻生成部が、基準時刻に欠落があった場合又は制御部からの基準クロックの切り替え指示があった場合に、時刻同期網以外の他の同期網から取得した基準クロックに基づく時間間隔にて同期時刻を生成するので、時刻同期網（例えば、ＧＰＳ同期網）の基準時刻や基準クロックを適切に取得できなくなっても、これまで通りの時刻同期を維持することができる。従って、前記第２の目的が達成される。
【００９１】
（請求項２）
請求項１に記載の同期維持装置と、
前記同期維持装置が生成する前記同期時刻が入力される送受信ユニットと、を備えた局側装置であって、
前記送受信ユニットは、入力された前記同期時刻に基づくタイムスタンプを記した同期用フレームを配下の宅側装置に送信する通信インタフェースを有することを特徴とする局側装置。
【００９２】
（請求項２の効果）
本発明の局側装置によれば、局側装置の通信インタフェースが、入力された同期時刻に基づくタイムスタンプを記した同期用フレームを配下の宅側装置に送信するので、局側装置の配下のすべての宅側装置やこれに接続する外部機器について、時刻同期を図ることができる。
【００９３】
（請求項３）
複数の同期網からそれぞれ取得した基準クロックを用いて行う、同期時刻の維持方法であって、
複数の同期網のうちの時刻同期網から基準時刻を所定時間ごとに取得し、その所定時間と同期する時間間隔の同期時刻を生成するステップと、
前記同期時刻の生成のために選択した基準クロックが、所定の切替条件を満たすか否かを判定するステップと、
前記基準時刻に欠落があった場合又は前記切替条件を満たした場合に、前記時刻同期網以外の他の同期網から取得した基準クロックに基づく前記時間間隔にて前記同期時刻を生成するステップと、
を含むことを特徴とする同期時刻の維持方法。
【００９４】
（請求項３の効果）
本発明の同期時刻の維持方法によれば、基準時刻に欠落があった場合又は所定の切替条件を満たした場合に、時刻同期網以外の他の同期網から取得した基準クロックに基づく時間間隔にて同期時刻を生成するので、時刻同期網（例えば、ＧＰＳ同期網）の基準時刻や基準クロックを適切に取得できなくなっても、これまで通りの時刻同期を維持することができる。従って、前記第２の目的が達成される。
【００９５】
（請求項４）
コアネットワークに繋がる複数のキャリア網を備えた通信システムであって、
前記キャリア網は、複数の同期網のうちの時刻同期網から基準時刻を所定時間ごとに取得し、その所定時間と同期する時間間隔の同期時刻を生成する局側装置と、前記局側装置と同受信する同期用メッセージにて前記局側装置と時刻同期が可能な宅側装置とを含み、
前記局側装置は、前記基準時刻に欠落があった場合、或いは、前記時刻同期網から取得する基準クロックが所定の切替条件を満たした場合に、前記同期時刻の生成を、他の同期網から取得した基準クロックを用いて維持することを特徴とする通信システム。
【００９６】
（請求項４の効果）
本発明の通信システムによれば、局側装置が、基準時刻に欠落があった場合、或いは、その時刻同期網から取得する基準クロックが所定の切替条件を満たした場合に、同期時刻の生成を、他の同期網から取得した基準クロックを用いて維持するので、基準時刻の欠落や時刻同期網の基準クロックのエラー等のために、基準時刻を適切に取得できなくなっても、これまで通りの時刻同期を維持することができる。従って、前記第２の目的が達成される。
【符号の説明】
【００９７】
１      コアネットワーク
２      ＰＯＮ（キャリア網）
３      ＯＬＴ（局側装置）
４      ＯＮＵ（宅側装置）
５      基地局装置
６      ＧＰＳ衛星
７Ａ    ＧＰＳ受信機
７Ｂ    ＧＰＳ受信機
８Ａ    ＤＣＳ受信機
８Ｂ    ＤＣＳ受信機
１１Ａ    クロックボード（同期維持装置）
１１Ｂ    クロックボード（同期維持装置）
１２      切替制御部
１３      バックプレーン
１４      ＯＳＵ（送受信ユニット）
２０      クロック抽出部
２１      ＰＯＮインタフェース（通信インタフェース）
３０      信号抽出部
３１      時刻生成部
３２      制御部
３３      クロック生成部
ＣＬａ    同期クロック
ＣＬｂ    同期クロック
Ｔａ      同期時刻
Ｔｂ      同期時刻
【図１】
2014110485.tif 000003
【図２】
2014110485.tif 000004
【図３】
2014110485.tif 000005
【図４】
2014110485.tif 000006
【図５】
2014110485.tif 000007